(57)【要約】【課題】本発明は、省設置スペースでキャビン用空調機からのドレン水の外部への排出を抑止できる機構を有する建設機械を提供することを課題とする。【解決手段】本発明は、オペレータが搭乗するキャビンと、ドレン水の排出管を有するキャビン用空調機とを備える建設機械であって、上記排出管から排出される上記ドレン水を貯留するドレン水タンクと、上記ドレン水タンクのドレン水を再利用するドレン水再利用装置と、上記ドレン水タンクに配設され、上記ドレン水タンクに一定量以上のドレン水が貯留していることを検知できるドレン水水位センサーと、上記ドレン水水位センサーの検知結果をもとに、上記ドレン水タンクのドレン水の上記ドレン水再利用装置への供給量を制御する制御装置とを備える。【選択図】図３
2020007051.tif 000002
【特許請求の範囲】
【請求項１】
オペレータが搭乗するキャビンと、ドレン水の排出管を有するキャビン用空調機とを備える建設機械であって、
上記排出管から排出される上記ドレン水を貯留するドレン水タンクと、
上記ドレン水タンクのドレン水を再利用するドレン水再利用装置と、
上記ドレン水タンクに配設され、上記ドレン水タンクに一定量以上のドレン水が貯留していることを検知できるドレン水水位センサーと、
上記ドレン水水位センサーの検知結果をもとに、上記ドレン水タンクのドレン水の上記ドレン水再利用装置への供給量を制御する制御装置と
を備える建設機械。
【請求項２】
上記ドレン水タンクの底面が、側面視で、上記排出管より下方に配設される請求項１に記載の建設機械。
【請求項３】
上記ドレン水タンクが、上記キャビンの下方に配設される請求項１又は請求項２に記載の建設機械。
【請求項４】
エンジンと、水及びクーラント液の混合液である冷却水との熱交換により加熱された上記エンジンを冷却するラジエータと、上記冷却水を貯留する冷却水タンクとを備え、
上記ドレン水再利用装置が、
クーラント液を貯留するクーラント液タンクと、
上記ドレン水タンクのドレン水を上記冷却水タンクへ供給するドレン水供給ポンプと、
上記クーラント液タンクのクーラント液を上記冷却水タンクへ供給するクーラント液供給ポンプと
を有する請求項１、請求項２又は請求項３に記載の建設機械。
【請求項５】
上記ドレン水再利用装置が、
上記クーラント液タンクに配設され、上記クーラント液タンクに一定量以上のクーラント液が貯留していることを検知できるクーラント液水位センサーと、
上記冷却水タンクに配設され、上記冷却水タンクに一定量以上の冷却水が貯留していることを検知できる冷却水水位センサーと
をさらに有し、
上記制御装置が、上記クーラント液水位センサー及び上記冷却水水位センサーの検知結果をもとに、上記ドレン水供給ポンプ及び上記クーラント液供給ポンプを制御する請求項４に記載の建設機械。
【請求項６】
エンジンと、上記エンジンとの熱交換器とを備え、
上記ドレン水再利用装置が、
上記熱交換器に上記ドレン水タンクのドレン水を噴射する噴射装置と、
上記ドレン水タンクのドレン水を上記噴射装置へ供給するドレン水供給ポンプと
を有する請求項１、請求項２又は請求項３に記載の建設機械。
【請求項７】
上記熱交換器が、冷却水により加熱された上記エンジンを冷却するラジエータであり、
上記ドレン水再利用装置が、上記ラジエータに供給する冷却水の温度が一定温度以上であることを検知する冷却水温度センサーをさらに有し、
上記制御装置が、上記冷却水温度センサーの検知結果をもとに、上記噴射装置からのドレン水の噴射を制御する請求項６に記載の建設機械。
【請求項８】
上記熱交換器が、上記エンジンの作動油を冷却するオイルクーラであり、
上記ドレン水再利用装置が、上記作動油の温度が一定温度以上であることを検知する作動油温度センサーをさらに有し、
上記制御装置が、上記作動油温度センサーの検知結果をもとに、上記噴射装置からのドレン水の噴射を制御する請求項６に記載の建設機械。
【請求項９】
上記熱交換器が、上記エンジンが吸気する空気を冷却するインタークーラであり、
上記ドレン水再利用装置が、上記エンジンへの吸気温度が一定温度以上であることを検知する吸気温度センサーをさらに有し、
上記制御装置が、上記吸気温度センサーの検知結果をもとに、上記噴射装置からのドレン水の噴射を制御する請求項６に記載の建設機械。
【請求項１０】
上記ドレン水再利用装置が、
上記キャビン内へ上記ドレン水タンクのドレン水をミスト状に噴射する噴霧装置と、
上記ドレン水タンクのドレン水を上記噴霧装置へ供給するドレン水供給ポンプと
を有する請求項１、請求項２又は請求項３に記載の建設機械。
【請求項１１】
上記ドレン水再利用装置が、上記キャビン内の室温が一定温度以上であることを検知する室温温度センサーをさらに有し、
上記制御装置が、上記室温温度センサーの検知結果をもとに、上記噴霧装置からのドレン水の噴射を制御する請求項１０に記載の建設機械。
【発明の詳細な説明】
【技術分野】
【０００１】
本発明は、建設機械に関する。
【背景技術】
【０００２】
例えばクレーン、油圧ショベル、杭打ち機等の建設機械は、一般に、クローラ、タイヤ等の走行手段を有する下部走行体と、この下部走行体上に水平方向に旋回可能に設けられ、ブームが起伏可能に取り付けられる上部旋回体とを備える。また、上部旋回体には、オペレータが搭乗するキャビンが設けられ、このキャビンに搭乗するオペレータが建設機械をオペレーションする。
【０００３】
オペレータのオペレーション環境を良くするため、キャビンには通常キャビン用空調機が設置される。キャビン用空調機はキャビン内の室温を制御すると共に除湿を行い、キャビンの除湿により回収された水分は、ドレン水として排出管から排出される。
【０００４】
このドレン水は、特に夏場において例えば下部走行体のフレーム等を流れ落ちる程度に排水量が多くなる場合がある。このフレームを流れ落ちた水の痕跡は、建設機械自体の油漏れや水漏れ等と区別が困難であるため、建設機械の不具合を見逃したり、建設機械の不具合と誤認してその確認作業のために作業効率が低下したりするおそれがある。
【０００５】
建設機械には、種々の装置が搭載され、このドレン水を処理するために新たな機構を設置できるスペースは限られる。このため、このドレン水の下部走行体のフレーム等を流れ落ちるという課題に対しては、例えば下部走行体を流れ落ちることがない位置にドレン水を排出するように排出管をレイアウトすることで回避されている（例えば特開２０１３−１８９８９０号公報参照）。
【０００６】
しかしながら、このように排出管をレイアウトしたとしても、依然としてその排出位置は、建設機械の直下又は近傍となる。作業現場では建設機械の姿勢安定も考慮して地面がコンクリート面であったり、敷設された鉄板面であったりすることが多いため、ドレン水による水の痕跡が地面に残り易い。このため、レイアウトによる工夫のみでは、ドレン水の痕跡に起因する建設機械の不具合の見逃しや作業効率の低下が十分に低減できているとは言えない。
【先行技術文献】
【特許文献】
【０００７】
【特許文献１】特開２０１３−１８９８９０号公報
【発明の概要】
【発明が解決しようとする課題】
【０００８】
本発明は、上述のような事情に基づいてなされたものであり、省設置スペースでキャビン用空調機からのドレン水の外部への排出を抑止できる機構を有する建設機械を提供することを課題とする。
【課題を解決するための手段】
【０００９】
上記課題を解決するためになされた発明は、オペレータが搭乗するキャビンと、ドレン水の排出管を有するキャビン用空調機とを備える建設機械であって、上記排出管から排出される上記ドレン水を貯留するドレン水タンクと、上記ドレン水タンクのドレン水を再利用するドレン水再利用装置と、上記ドレン水タンクに配設され、上記ドレン水タンクに一定量以上のドレン水が貯留していることを検知できるドレン水水位センサーと、上記ドレン水水位センサーの検知結果をもとに、上記ドレン水タンクのドレン水の上記ドレン水再利用装置への供給量を制御する制御装置とを備える。
【００１０】
当該建設機械は、上記ドレン水タンクを備えるので、キャビン用空調機からのドレン水が、建設機械から外部へ直接排出されることを抑止できる。また、当該建設機械は、上記ドレン水再利用装置と、上記ドレン水水位センサーと、上記制御装置とを備える。当該建設機械は、この制御装置により一定量のドレン水がドレン水タンクに貯留されると、ドレン水をドレン水再利用装置へ供給するので、比較的小さい容量のドレン水タンクであっても満水となり難い。従って、当該建設機械は、少ない設置スペースでドレン水の建設機械から外部への直接排出を抑止できる。
【００１１】
上記ドレン水タンクの底面が、側面視で、上記排出管より下方に配設されるとよい。このように上記ドレン水タンクの底面を、側面視で、上記排出管より下方に配設することで、排出管より排出されるドレン水をポンプ等により送水することなくドレン水を貯留することができる。このため設置スペースをさらに低減できる。
【００１２】
上記ドレン水タンクが、上記キャビンの下方に配設されるとよい。通常キャビン用空調機はキャビン近くに配設されるため、上記ドレン水タンクを、上記キャビンの下方に配設することで、キャビン用空調機からドレン水タンクに至るまでの排出管の長さを短くすることができる。
【００１３】
エンジンと、水及びクーラント液の混合液である冷却水との熱交換により加熱された上記エンジンを冷却するラジエータと、上記冷却水を貯留する冷却水タンクとを備え、上記ドレン水再利用装置が、クーラント液を貯留するクーラント液タンクと、上記ドレン水タンクのドレン水を上記冷却水タンクへ供給するドレン水供給ポンプと、上記クーラント液タンクのクーラント液を上記冷却水タンクへ供給するクーラント液供給ポンプとを有するとよい。ラジエータの冷却水は、熱交換に使用されるに従い徐々に減少する。このため、上記ドレン水をラジエータの冷却水の水として利用することで、キャビン用空調機からのドレン水が建設機械から外部へ直接排出されることを抑止しつつ、ラジエータの冷却水に用いられる水の給水回数を低減できる。
【００１４】
上記ドレン水再利用装置が、上記クーラント液タンクに配設され、上記クーラント液タンクに一定量以上のクーラント液が貯留していることを検知できるクーラント液水位センサーと、上記冷却水タンクに配設され、上記冷却水タンクに一定量以上の冷却水が貯留していることを検知できる冷却水水位センサーとをさらに有し、上記制御装置が、上記クーラント液水位センサー及び上記冷却水水位センサーの検知結果をもとに、上記ドレン水供給ポンプ及び上記クーラント液供給ポンプを制御するとよい。このようにクーラント液タンク及び冷却水タンクの水量を水位センサーを用いて監視しつつ、制御装置によりドレン水供給ポンプ及びクーラント液供給ポンプを制御することで、冷却水の水とクーラント液との割合を調整できるので、当該建設機械内で容易に冷却水の調合を行うことができる。
【００１５】
エンジンと、上記エンジンとの熱交換器とを備え、上記ドレン水再利用装置が、上記熱交換器に上記ドレン水タンクのドレン水を噴射する噴射装置と、上記ドレン水タンクのドレン水を上記噴射装置へ供給するドレン水供給ポンプとを有するとよい。このように熱交換器にドレン水を噴射することで、その気化熱により熱交換器の冷却効果を高めると共に、キャビン用空調機からのドレン水が、建設機械から外部へ直接排出されることを抑止できる。
【００１６】
上記熱交換器が、冷却水により加熱された上記エンジンを冷却するラジエータであり、上記ドレン水再利用装置が、上記ラジエータに供給する冷却水の温度が一定温度以上であることを検知する冷却水温度センサーをさらに有し、上記制御装置が、上記冷却水温度センサーの検知結果をもとに、上記噴射装置からのドレン水の噴射を制御するとよい。このように冷却水温度センサーの検知結果をもとにドレン水の噴射を制御することで、ラジエータを適切なタイミングで冷却することができる。
【００１７】
上記熱交換器が、上記エンジンの作動油を冷却するオイルクーラであり、上記ドレン水再利用装置が、上記作動油の温度が一定温度以上であることを検知する作動油温度センサーをさらに有し、上記制御装置が、上記作動油温度センサーの検知結果をもとに、上記噴射装置からのドレン水の噴射を制御するとよい。このように作動油温度センサーの検知結果をもとにドレン水の噴射を制御することで、オイルクーラを適切なタイミングで冷却することができる。
【００１８】
上記熱交換器が、上記エンジンが吸気する空気を冷却するインタークーラであり、上記ドレン水再利用装置が、上記エンジンへの吸気温度が一定温度以上であることを検知する吸気温度センサーをさらに有し、上記制御装置が、上記吸気温度センサーの検知結果をもとに、上記噴射装置からのドレン水の噴射を制御するとよい。このように吸気温度センサーの検知結果をもとにドレン水の噴射を制御することで、インタークーラを適切なタイミングで冷却することができる。
【００１９】
上記ドレン水再利用装置が、上記キャビン内へ上記ドレン水タンクのドレン水をミスト状に噴射する噴霧装置と、上記ドレン水タンクのドレン水を上記噴霧装置へ供給するドレン水供給ポンプとを有するとよい。このようにキャビン内へドレン水タンクのドレン水をミスト状に噴射することで、特に夏場においてキャビン内の温度を保つと共に、キャビン用空調機からのドレン水が、建設機械から外部へ直接排出されることを抑止できる。
【００２０】
上記ドレン水再利用装置が、上記キャビン内の室温が一定温度以上であることを検知する室温温度センサーをさらに有し、上記制御装置が、上記室温温度センサーの検知結果をもとに、上記噴霧装置からのドレン水の噴射を制御するとよい。このように室温温度センサーの検知結果をもとにドレン水の噴射を制御することで、キャビン内を適切なタイミングで冷却することができる。
【発明の効果】
【００２１】
以上説明したように、本発明の建設機械は、省設置スペースでキャビン用空調機からのドレン水の外部への排出を抑止できる機構を有する。従って、当該建設機械では、ドレン水の痕跡に起因する建設機械の不具合の見逃しや作業効率の低下が発生し難い。
【図面の簡単な説明】
【００２２】
【図１】図１は、本発明の一実施形態に係る建設機械の模式的側面図である。
【図２】図２は、図１の建設機械の上部旋回体を示す模式的斜視図である。
【図３】図３は、図２のドレン水処理の制御を示すブロック図である。
【図４】図４は、図２とは異なる上部旋回体を示す模式的斜視図である。
【図５】図５は、図４のドレン水処理の制御を示すブロック図である。
【図６】図６は、図２及び図４とは異なる上部旋回体を示す模式的斜視図である。
【図７】図７は、図６のドレン水処理の制御を示すブロック図である。
【発明を実施するための形態】
【００２３】
［第一実施形態］
以下、本発明の一態様に係る建設機械について図面を参照しつつ説明する。
【００２４】
図１及び図２に示す建設機械は、自走可能な下部走行体１と、この下部走行体１の上に水平方向に旋回可能に設けられる上部旋回体２と、上部旋回体２に起伏可能に取り付けられるクレーンアタッチメント３とを主に備える。
【００２５】
〔下部走行体〕
下部走行体１は、上部旋回体２を支持するカーボディと、このカーボディに取り付けられる走行手段とを主に有する。上記走行手段としては、クローラやタイヤ等を挙げることができる。
【００２６】
〔クレーンアタッチメント〕
クレーンアタッチメント３は、例えば直接荷を吊って作業をする部分である。クレーンアタッチメント３は、例えばラチスブームの先端にフックを取り付けた構成とされる。
【００２７】
〔上部旋回体〕
上部旋回体２は、オペレータが搭乗するキャビン４と、キャビン用空調機５と、エンジン６と、エンジン６を冷却するラジエータ７と、ラジエータ７へ供給する冷却水を貯留する冷却水タンク８とを備える。
【００２８】
キャビン用空調機５は、キャビン４内の室温を制御する空調機である。キャビン用空調機５としては、公知の空調機を用いることができる。キャビン用空調機５は、室内機と室外機とに分かれたセパレート型の空調機であってもよく、一体型の空調機であってもよい。また、キャビン用空調機５は、ドレン水の排出管５ａを有する。この排出管５ａには、ドレン水から不純物等を除去するための浄水フィルタが設けられていてもよい。
【００２９】
ラジエータ７は、冷却水との熱交換により加熱されたエンジン６を冷却する。上記冷却水は、水及びクーラント液の混合液である。
【００３０】
当該建設機械は、図２及び図３に示すように上部旋回体２にキャビン用空調機５の排出管５ａから排出されるドレン水を貯留するドレン水タンク９と、ドレン水タンク９のドレン水を再利用するドレン水再利用装置１０と、ドレン水タンク９に配設されるドレン水水位センサー１１と、制御装置１２とを備える。
【００３１】
＜ドレン水タンク＞
ドレン水タンク９としては、水を貯留できるものであれば特に限定されず、例えば公知のポリタンクや金属タンク等を用いることができる。なお、ドレン水タンク９の材質としては、錆び難いものが好ましく、例えば金属タンクであれば内表面に防錆処理されていることが好ましい。
【００３２】
ドレン水タンク９の配設位置としては、当該建設機械の動作に干渉しない限り特に限定されないが、キャビン４の下方に配設されるとよい。通常キャビン用空調機５はキャビン４近くに配設されるため、ドレン水タンク９を、キャビン４の下方に配設することで、キャビン用空調機５からドレン水タンク９に至るまでの排出管５ａの長さを短くすることができる。また、キャビン４の下方は、比較的スペースに余裕がある場合が多く、ドレン水タンク９の容量を確保し易い。
【００３３】
また、ドレン水タンク９の底面が、側面視で、キャビン用空調機５の排出管５ａより下方に配設されることが好ましい。このようにドレン水タンク９の底面を、側面視で、排出管５ａより下方に配設することで、排出管５ａより排出されるドレン水をポンプ等により送水することなくドレン水を貯留することができる。このため設置スペースをさらに低減できる。
【００３４】
ドレン水タンク９の貯水容量の下限としては、５Ｌが好ましく、８Ｌがより好ましい。一方、ドレン水タンク９の貯水容量の上限としては、１５Ｌが好ましく、１２Ｌがより好ましい。ドレン水タンク９の貯水容量が上記下限未満であると、ドレン水タンク９が満水となり易く、ドレン水の外部への排出抑止効果が不十分となるおそれがある。逆に、ドレン水タンク９の貯水容量が上記上限を超えると、ドレン水タンク９の設置スペースが大きくなり過ぎるおそれがある。
【００３５】
＜ドレン水再利用装置＞
ドレン水再利用装置１０は、クーラント液を貯留するクーラント液タンク１０ａと、ドレン水タンク９の水を冷却水タンク８へ供給するドレン水供給ポンプ１０ｂと、クーラント液タンク１０ａのクーラント液を冷却水タンク８へ供給するクーラント液供給ポンプ１０ｃと、クーラント液タンク１０ａに配設されるクーラント液水位センサー１０ｄと、冷却水タンク８に配設される冷却水水位センサー１０ｅとを有する。
【００３６】
クーラント液タンク１０ａは、特に限定されないが、ドレン水タンク９と同様の材質のものを用いることができる。また、クーラント液タンク１０ａの配設位置としては、当該建設機械の動作に干渉しない限り特に限定されないが、管理の容易性からドレン水タンク９の近傍に配設されることが好ましい。
【００３７】
クーラント液タンク１０ａの容量としては、ドレン水タンク９の貯水容量と同様とできる。また、ドレン水タンク９とクーラント液タンク１０ａとの容量比は、水及びクーラント液の混合比にもよるが、例えば１：１とできる。
【００３８】
ドレン水供給ポンプ１０ｂ及びクーラント液供給ポンプ１０ｃとしては、公知のポンプを用いることができる。これらのポンプにより所定量のドレン水及びクーラント液が冷却水タンク８へ供給される。また、クーラント液タンク１０ａと冷却水タンク８との配設位置は制約されず、冷却水タンク８がクーラント液タンク１０ａより上方に配設されていてもよい。
【００３９】
＜水位センサー＞
ドレン水水位センサー１１は、ドレン水タンク９に一定量以上のドレン水が貯留していることを検知できる。また、クーラント液水位センサー１０ｄは、クーラント液タンク１０ａに一定量以上のクーラント液が貯留していることを検知できる。冷却水水位センサー１０ｅは、冷却水タンク８に一定量以上の冷却水が貯留していることを検知できる。これらの水位センサーとしては、特に限定されず、公知のセンサーを用いることができる。
【００４０】
＜制御装置＞
制御装置１２は、ドレン水水位センサー１１、クーラント液水位センサー１０ｄ及び冷却水水位センサー１０ｅの検知結果をもとに、ドレン水供給ポンプ１０ｂ及びクーラント液供給ポンプ１０ｃを制御する。このうち、ドレン水供給ポンプ１０ｂの制御により、ドレン水タンク９のドレン水のドレン水再利用装置１０への供給量が制御される。
【００４１】
制御装置１２は、例えば制御用コンピュータにより構成することができる。この制御用コンピュータは、制御装置１２専用に設けてもよいが、例えばすでに当該建設機械に搭載されている既設のコンピュータを流用することもできる。
【００４２】
＜制御装置による制御方法＞
制御装置１２は、例えば冷却水水位センサー確認工程と、ドレン水水位センサー確認工程と、クーラント液水位センサー確認工程と、ポンプ制御工程とを備える制御方法によりドレン水供給ポンプ１０ｂ及びクーラント液供給ポンプ１０ｃを制御することができる。
【００４３】
（冷却水水位センサー確認工程）
冷却水水位センサー確認工程では、冷却水水位センサー１０ｅの検知結果を確認する。冷却水水位センサー１０ｅは、冷却水タンク８に一定量以上の冷却水が貯留していることを検知できる。冷却水タンク８に一定量以上の冷却水が貯留していることが検知された場合、制御装置１２は、冷却水を補充する必要がないと判断し、制御を終了する。一方、冷却水タンク８に一定量以上の冷却水が貯留していることが検知されない場合、制御装置１２は、ドレン水水位センサー確認工程を行う。
【００４４】
このように冷却水水位センサー確認工程を行うため、冷却水水位センサー１０ｅが検知する冷却水の水位としては、冷却水タンク８の満水時の体積から、ポンプ制御工程で制御装置１２により供給されるドレン水及びクーラント液の体積の和を除いた冷却水量に相当する水位よりも低位とされる。冷却水水位センサー１０ｅが検知する冷却水の水位を上述の水位よりも高位とすると、ポンプ制御工程で供給されるドレン水及びクーラント液により冷却水タンク８がオーバーフローしてしまうおそれがある。
【００４５】
（ドレン水水位センサー確認工程）
ドレン水水位センサー確認工程では、ドレン水水位センサー１１の検知結果を確認する。ドレン水水位センサー１１は、ドレン水タンク９に一定量以上のドレン水が貯留していることを検知できる。ドレン水タンク９に一定量以上のドレン水が貯留していることが検知された場合、制御装置１２は、クーラント液水位センサー確認工程を行う。一方、ドレン水タンク９に一定量以上のドレン水が貯留していることが検知されない場合、制御装置１２は、十分な量のドレン水がないと判断し、制御を終了する。
【００４６】
このようにドレン水水位センサー確認工程を行うため、ドレン水水位センサー１１が検知するドレン水の水位としては、ポンプ制御工程で供給されるドレン水量に相当する水位よりも高位とされる。ドレン水水位センサー１１が検知するドレン水の水位を上述の水位よりも低位とすると、ポンプ制御工程で供給されるドレン水が不足し、冷却水の水とクーラント液との混合比が制御できないおそれがある。
【００４７】
（クーラント液水位センサー確認工程）
クーラント液水位センサー確認工程では、クーラント液水位センサー１０ｄの検知結果を確認する。クーラント液水位センサー１０ｄは、クーラント液タンク１０ａに一定量以上のクーラント液が貯留していることを検知できる。クーラント液タンク１０ａに一定量以上のクーラント液が貯留していることが検知された場合、制御装置１２は、ポンプ制御工程を行う。一方、クーラント液タンク１０ａに一定量以上のクーラント液が貯留していることが検知されない場合、制御装置１２は、十分な量のクーラント液がないと判断し、制御を終了する。
【００４８】
このようにクーラント液水位センサー確認工程を行うため、クーラント液水位センサー１０ｄが検知するクーラント液の水位としては、ポンプ制御工程で供給されるクーラント液量に相当する水位よりも高位とされる。クーラント液水位センサー１０ｄが検知するクーラント液の水位を上述の水位よりも低位とすると、ポンプ制御工程で供給されるクーラント液が不足し、冷却水の水とクーラント液との混合比が制御できないおそれがある。
【００４９】
なお、冷却水水位センサー確認工程、ドレン水水位センサー確認工程、及びクーラント液水位センサー確認工程の順序は、上述の順序には限定されず、任意の順序で行ってもよい。
【００５０】
（ポンプ制御工程）
ポンプ制御工程では、ドレン水供給ポンプ１０ｂ及びクーラント液供給ポンプ１０ｃを作動させ、ドレン水及びクーラント液を冷却水タンク８へ供給する。ドレン水供給ポンプ１０ｂ及びクーラント液供給ポンプ１０ｃは、それぞれ予め決められた規定量のドレン水及びクーラント液が冷却水タンク８へ同時に供給されるように、供給速度及び供給時間が制御される。このように制御することで、冷却水の水とクーラント液との混合比を所望の比率に制御できる。制御装置１２は、ドレン水及びクーラント液の供給後に制御を終了する。
【００５１】
特に、ドレン水及びクーラント液が同時に開始され、同時に終了するように供給速度及び供給時間が制御されることが好ましい。このように制御することで、ドレン水及びクーラント液が冷却水タンク８へ流れ込む勢いによりドレン水及びクーラント液が攪拌され、濃度が均一化され易い。
【００５２】
なお、制御装置１２の制御終了後は、例えば一定時間間隔で上述の制御を繰り返し行う。あるいは、制御装置１２は、例えば冷却水水位センサー１０ｅが、冷却水タンク８に一定量以上の冷却水が貯留していることを検知できなくなったことを起点に制御を開始してもよい。
【００５３】
〔利点〕
当該建設機械は、ドレン水タンク９を備えるので、キャビン用空調機５からのドレン水が、建設機械から外部へ直接排出されることを抑止できる。また、当該建設機械は、ドレン水再利用装置１０と、ドレン水水位センサー１１と、制御装置１２とを備える。当該建設機械は、この制御装置１２により一定量のドレン水がドレン水タンク９に貯留されると、ドレン水をドレン水再利用装置１０へ供給するので、比較的小さい容量のドレン水タンク９であっても満水となり難い。従って、当該建設機械は、少ない設置スペースでドレン水の建設機械から外部への直接排出を抑止できる。
【００５４】
また、当該建設機械は、ドレン水タンク９のドレン水をラジエータ７の冷却水の水として利用する。ラジエータ７の冷却水は、熱交換に使用されるに従い徐々に減少する。このため、上記ドレン水をラジエータ７の冷却水の水として利用することで、キャビン用空調機５からのドレン水が建設機械から外部へ直接排出されることを抑止しつつ、ラジエータ７の冷却水に用いられる水の給水回数を低減できる。
【００５５】
さらに、当該建設機械は、クーラント液タンク１０ａ及び冷却水タンク８の水量を水位センサーを用いて監視しつつ、制御装置１２によりドレン水供給ポンプ１０ｂ及びクーラント液供給ポンプ１０ｃを制御することで、冷却水の水とクーラント液との割合を調整できるので、当該建設機械内で容易に冷却水の調合を行うことができる。
【００５６】
［第二実施形態］
以下、本発明の別の一態様に係る建設機械について図面を参照しつつ説明する。
【００５７】
当該建設機械は、図４及び図５に示すように、上部旋回体２に、オペレータが搭乗するキャビン４と、キャビン用空調機５と、エンジン６と、エンジン６との熱交換器１３と、エンジン６及び熱交換器１３の間に配設される送風ファン１４とを備える。
【００５８】
また、当該建設機械は、上部旋回体２にキャビン用空調機５の排出管５ａから排出されるドレン水を貯留するドレン水タンク９と、ドレン水タンク９のドレン水を再利用するドレン水再利用装置１５と、ドレン水タンク９に配設されるドレン水水位センサー１１と、制御装置１２とを備える。熱交換器１３、送風ファン１４、及びドレン水再利用装置１５以外の構成要素については、第一実施形態の建設機械と同様に構成されるため、同一符合を付して詳細説明を省略する。
【００５９】
＜熱交換器＞
熱交換器１３は、冷却水により加熱されたエンジン６を冷却するラジエータ１３ａ、エンジン６の作動油を冷却するオイルクーラ１３ｂ及びエンジン６が吸気する空気を冷却するインタークーラ１３ｃより構成される。
【００６０】
熱交換器１３は、例えばフィンを有する多数の細管を有し、この細管の中を流れる液体と、外側の空気との間で熱交換を行う周知の構成することができる。
【００６１】
＜送風ファン＞
送風ファン１４は、熱交換器１３を通して空気を吸引する。この送風ファン１４により熱交換器１３の熱交換効率を高められる。
【００６２】
送風ファン１４としては、例えば軸流ファン、斜流ファン等を用いることができる。
【００６３】
＜ドレン水再利用装置＞
ドレン水再利用装置１５は、熱交換器１３にドレン水タンク９のドレン水を噴射する噴射装置１５ａと、ラジエータ１３ａに供給する冷却水の温度が一定温度以上であることを検知する冷却水温度センサー１５ｂと、エンジン６の作動油の温度が一定温度以上であることを検知する作動油温度センサー１５ｃと、エンジン６への吸気温度が一定温度以上であることを検知する吸気温度センサー１５ｄと、ドレン水タンク９のドレン水を噴射装置１５ａへ供給するドレン水供給ポンプ１５ｅとを備える。
【００６４】
（噴射装置）
噴射装置１５ａは、熱交換器１３の送風ファン１４とは反対側、つまり送風方向の上流側に配設される。
【００６５】
噴射装置１５ａは、ラジエータ１３ａ、オイルクーラ１３ｂ及びインタークーラ１３ｃにそれぞれ独立にドレン水を噴射できるように構成されることが好ましい。つまり、噴射装置１５ａは、ラジエータ１３ａ、オイルクーラ１３ｂ及びインタークーラ１３ｃにそれぞれに対して専用の噴射口を有することが好ましい。このように独立にドレン水を噴射できるように構成することで、ラジエータ１３ａ、オイルクーラ１３ｂ及びインタークーラ１３ｃそれぞれに適した冷却を行うことができる。ここで、「独立に噴射できる」とは、各噴射口からのドレン水の噴射のオン、オフを独立に制御できる構成に加え、各噴射口からのドレン水の噴射量を独立に設定する構成を含む。なお、この制御は制御装置１２により行われる。
【００６６】
また、噴射装置１５ａは、ミスト状に噴射することが好ましい。ミスト状に噴射することで、ドレン水の気化熱を効果的に利用して冷却効果を向上できるとともに、熱交換器１３に噴射されたドレン水が気化せずに建設機械から外部へ直接排出されることを抑止できる。
【００６７】
（温度センサー）
冷却水温度センサー１５ｂは、ラジエータ１３ａに供給する冷却水の温度が測定できる位置、例えばエンジン６内の冷却水配管に配設される。作動油温度センサー１５ｃは、エンジン６の作動油の温度が測定できる位置、例えばエンジン６の作動油タンクに配設される。吸気温度センサー１５ｄは、エンジン６が吸気する空気の温度が測定できる位置、例えばエンジン６の吸気口に配設される。これらの温度センサーとしては、公知の温度センサーを用いることができる。
【００６８】
冷却水温度センサー１５ｂ、作動油温度センサー１５ｃ及び吸気温度センサー１５ｄは、ヒステリシスを有することが好ましい。これらの温度センサーがヒステリシスを有することで、わずかな温度変化で噴射装置１５ａがオン、オフを頻繁に繰り返すことを抑制でき、噴射装置１５ａの制御が安定し易い。上記ヒステリシスとしては、５℃以上１５℃以下が好ましい。上記ヒステリシスが上記下限未満であると、噴射装置１５ａの制御安定性向上効果が不十分となるおそれがある。逆に、上記ヒステリシスが上記上限を超えると、熱交換器１３の冷却制御が困難となるおそれがある。なお、冷却水温度センサー１５ｂ、作動油温度センサー１５ｃ及び吸気温度センサー１５ｄの全ての温度センサーがヒステリシスを有することが好ましいが、一部の温度センサーのみがヒステリシスを有する構成であってもよい。
【００６９】
（ドレン水供給ポンプ）
ドレン水供給ポンプ１５ｅとしては、公知のポンプを用いることができる。なお、図４及び図５では、ドレン水再利用装置１５が１つのドレン水供給ポンプ１５ｅを備える場合を示しているが、噴射装置１５ａがラジエータ１３ａ、オイルクーラ１３ｂ及びインタークーラ１３ｃにそれぞれに対して専用の噴射口を有する場合、それぞれの噴射口毎にドレン水供給ポンプ１５ｅを備えた構成とすることも可能である。
【００７０】
＜制御装置による制御方法＞
制御装置１２は、ドレン水水位センサー１１、冷却水温度センサー１５ｂ、作動油温度センサー１５ｃ及び吸気温度センサー１５ｄの検知結果をもとに、噴射装置１５ａからのドレン水の噴射を制御する。具体的には、制御装置１２は、ドレン水供給ポンプ１５ｅの制御により、ドレン水タンク９のドレン水のドレン水再利用装置１５への供給量を制御する。
【００７１】
制御装置１２は、例えば温度センサー確認工程と、ドレン水水位センサー確認工程と、ポンプ制御工程とを備える制御方法により、ドレン水供給ポンプ１５ｅを制御することができる。
【００７２】
（温度センサー確認工程）
温度センサー確認工程では、冷却水温度センサー１５ｂ、作動油温度センサー１５ｃ及び吸気温度センサー１５ｄの検知結果を確認する。冷却水温度センサー１５ｂ、作動油温度センサー１５ｃ及び吸気温度センサー１５ｄは、それぞれ冷却水温度、作動油温度及び吸気温度が一定温度以上であることを検知できる。制御装置１２は、冷却水温度センサー１５ｂ、作動油温度センサー１５ｃ及び吸気温度センサー１５ｄのうち一定温度以上である温度センサーを特定する。該当する温度センサーがない場合、制御装置１２は制御を終了する。該当する温度センサーが１つ以上ある場合は、制御装置１２はドレン水水位センサー確認工程を行う。
【００７３】
このように温度センサー確認工程を行うため、各温度センサーが検知する温度としては、それぞれ冷却水、作動油、吸気する空気に冷却が必要な温度とされる。一方、この温度を低く設定し過ぎると、熱交換器１３が過冷却されるおそれがある。これらの観点から、各温度センサーの検知温度としては、例えば冷却水及び吸気する空気であれば、エンジン６の保証温度値よりも２０℃低い温度、作動油であれば、油機の保証温度値よりも２０℃低い温度等とすることができる。
【００７４】
（ドレン水水位センサー確認工程）
ドレン水水位センサー確認工程では、ドレン水水位センサー１１の検知結果を確認する。ドレン水水位センサー１１は、ドレン水タンク９に一定量以上のドレン水が貯留していることを検知できる。ドレン水タンク９に一定量以上のドレン水が貯留していることが検知された場合、制御装置１２は、ポンプ制御工程を行う。一方、ドレン水タンク９に一定量以上のドレン水が貯留していることが検知されない場合、制御装置１２は、十分な量のドレン水がないと判断し、制御を終了する。
【００７５】
このようにドレン水水位センサー確認工程を行うため、ドレン水水位センサー１１が検知するドレン水の水位としては、ポンプ制御工程で供給されるドレン水量に相当する水位よりも高位とされる。ドレン水水位センサー１１が検知するドレン水の水位を上述の水位よりも低位とすると、ポンプ制御工程で供給されるドレン水が不足し、十分な冷却効果が得られないおそれがある。
【００７６】
なお、温度センサー確認工程及びドレン水水位センサー確認工程の順序は、上述の順序には限定されず、逆の順序、つまりドレン水水位センサー確認工程後に温度センサー確認工程を行ってもよい。
【００７７】
（ポンプ制御工程）
ポンプ制御工程では、ドレン水供給ポンプ１５ｅを作動させ、ドレン水を噴射装置１５ａへ供給し、噴射装置１５ａを動作させる。ドレン水供給ポンプ１５ｅは、予め決められた規定量のドレン水が噴射装置１５ａに供給されるように、供給速度及び供給時間が制御される。噴射装置１５ａは、温度センサー確認工程で特定された温度センサーに対応する噴射口からドレン水を噴射し、ラジエータ１３ａ、オイルクーラ１３ｂ及びインタークーラ１３ｃのうち、特定された上記温度センサーに対応する熱交換器１３を冷却する。
【００７８】
なお、制御装置１２の制御終了後は、例えば一定時間間隔で上述の制御を繰り返し行う。あるいは、制御装置１２は、例えば冷却水温度センサー１５ｂ、作動油温度センサー１５ｃ及び吸気温度センサー１５ｄにより、冷却水温度、作動油温度及び吸気温度のうちの１つでも一定温度以上であることが検知されたことを起点に制御を開始してもよい。
【００７９】
〔利点〕
当該建設機械は、熱交換器１３にドレン水を噴射することで、その気化熱により熱交換器１３の冷却効果を高めると共に、キャビン用空調機５からのドレン水が、建設機械から外部へ直接排出されることを抑止できる。
【００８０】
また、当該建設機械は、冷却水温度センサー１５ｂ、作動油温度センサー１５ｃ及び吸気温度センサー１５ｄの検知結果をもとにドレン水の噴射を制御することで、ラジエータ１３ａ、オイルクーラ１３ｂ及びインタークーラ１３ｃをそれぞれ適切なタイミングで冷却することができる。
【００８１】
［第三実施形態］
以下、本発明のさらに別の一態様に係る建設機械について図面を参照しつつ説明する。
【００８２】
当該建設機械は、図６及び図７に示すように、上部旋回体２に、オペレータが搭乗するキャビン４と、キャビン用空調機５とを備える。
【００８３】
また、当該建設機械は、上部旋回体２にキャビン用空調機５の排出管５ａから排出されるドレン水を貯留するドレン水タンク９と、ドレン水タンク９のドレン水を再利用するドレン水再利用装置１６と、ドレン水タンク９に配設されるドレン水水位センサー１１と、制御装置１２とを備える。ドレン水再利用装置１６以外の構成要素については、第一実施形態の建設機械と同様に構成されるため、同一符合を付して詳細説明を省略する。
【００８４】
＜ドレン水再利用装置＞
ドレン水再利用装置１６は、キャビン４内へドレン水タンク９のドレン水をミスト状に噴射する噴霧装置１６ａと、キャビン４内の室温が一定温度以上であることを検知する室温温度センサー１６ｂと、ドレン水タンク９のドレン水を噴霧装置１６ａへ供給するドレン水供給ポンプ１６ｃとを備える。
【００８５】
（噴霧装置）
噴霧装置１６ａとしては、公知の噴霧装置を用いることができる。噴霧装置１６ａの配設位置としては、キャビン４内の上方、例えば天井が好ましい。ドレン水をキャビン４内の上方からミスト状に噴霧することで、キャビン４内全体の室温を下げ易い。また、噴霧装置１６ａは、オペレータの体感温度を下げることを目的として、ミストがオペレータに当たるような位置に配設してもよい。
【００８６】
（温度センサー）
室温温度センサー１６ｂは、キャビン４内の室温が測定できる位置に配設される。室温温度センサー１６ｂの配設位置としては、噴霧装置１６ａからのミストが当たらない位置が好ましい。室温温度センサー１６ｂにミストが当たると、実際の室温との測定誤差が大きくなるおそれがある。なお、室温温度センサー１６ｂとしては、公知の温度センサーを用いることができる。
【００８７】
室温温度センサー１６ｂは、ヒステリシスを有することが好ましい。室温温度センサー１６ｂがヒステリシスを有することで、わずかな温度変化で噴霧装置１６ａがオン、オフを頻繁に繰り返すことを抑制でき、噴霧装置１６ａの制御が安定し易い。上記ヒステリシスとしては、５℃以上１５℃以下が好ましい。上記ヒステリシスが上記下限未満であると、噴霧装置１６ａの制御安定性向上効果が不十分となるおそれがある。逆に、上記ヒステリシスが上記上限を超えると、キャビン４内の室温制御が困難となるおそれがある。
【００８８】
（ドレン水供給ポンプ）
ドレン水供給ポンプ１６ｃとしては、公知のポンプを用いることができる。ドレン水供給ポンプ１６ｃの配設位置は、特に限定されないが、例えばドレン水タンク９の近傍とできる。
【００８９】
＜制御装置による制御方法＞
制御装置１２は、室温温度センサー１６ｂの検知結果をもとに、噴霧装置１６ａからのドレン水の噴射を制御する。具体的には、制御装置１２は、ドレン水供給ポンプ１６ｃの制御により、ドレン水タンク９のドレン水のドレン水再利用装置１６への供給量を制御する。
【００９０】
また、制御装置１２は、室温温度センサー１６ｂの検知結果をもととする制御以外に、オペレータの手動により噴霧装置１６ａのオン、オフ切換制御が直接行えることが好ましい。このように切換制御を行うことでオペレータの体感に応じた制御が容易に行える。このような切換制御は、例えばキャビン４内に設置されたスイッチにより行うことができる。上記スイッチとしては、噴霧装置１６ａのオン、オフ、自動（室温温度センサー１６ｂによる制御）の３つの切換が行えるスイッチが好ましい。
【００９１】
制御装置１２は、例えば動作条件確認工程と、ドレン水水位センサー確認工程と、ポンプ制御工程とを備える制御方法により、ドレン水供給ポンプ１６ｃを制御することができる。
【００９２】
（動作条件確認工程）
動作条件確認工程では、室温温度センサー１６ｂの検知結果を確認する。また、手動の切換制御が行えるスイッチを有する場合は、そのスイッチの状態を確認する。
【００９３】
手動の切換制御が行えるスイッチを有する場合を例にとり具体的に説明すると、まず、上記スイッチの状態を確認する。上記スイッチが手動によりオフ状態とされている場合、制御装置１２は制御を終了する。上記スイッチが手動によりオン状態とされている場合、制御装置１２はドレン水水位センサー確認工程を行う。上記スイッチが自動、すなわち室温温度センサー１６ｂによる制御とされている場合、室温温度センサー１６ｂの検知結果を確認する。室温温度センサー１６ｂは、キャビン４内の室温が一定温度以上であることを検知できる。キャビン４内の室温が一定温度以上であることが検知された場合、制御装置１２はドレン水水位センサー確認工程を行う。一方、キャビン４内の室温が一定温度以上であることが検知されない場合、制御装置１２は制御を終了する。
【００９４】
なお、手動の切換制御に、手動によりオン状態とする選択がない場合は、手動によるオフ状態の確認と室温温度センサー１６ｂの検知結果とが行われる。同様に、手動によりオフ状態とする選択がない場合は、手動によるオン状態の確認と室温温度センサー１６ｂの検知結果とが行われる。また、手動の切換制御を有さない場合は、室温温度センサー１６ｂの検知結果のみが行われる。
【００９５】
このように動作条件確認工程を行うため、室温温度センサー１６ｂが検知する温度としては、キャビン４内の室温に冷却が必要とされる温度、例えば２８℃に設定される。なお、この温度は可変とし、例えばオペレータが手動で設定できるようにしてもよい。
【００９６】
（ドレン水水位センサー確認工程）
ドレン水水位センサー確認工程では、ドレン水水位センサー１１の検知結果を確認する。ドレン水水位センサー１１は、ドレン水タンク９に一定量以上のドレン水が貯留していることを検知できる。ドレン水タンク９に一定量以上のドレン水が貯留していることが検知された場合、制御装置１２は、ポンプ制御工程を行う。一方、ドレン水タンク９に一定量以上のドレン水が貯留していることが検知されない場合、制御装置１２は、十分な量のドレン水がないと判断し、制御を終了する。
【００９７】
このようにドレン水水位センサー確認工程を行うため、ドレン水水位センサー１１が検知するドレン水の水位としては、ポンプ制御工程で供給されるドレン水量に相当する水位よりも高位とされる。ドレン水水位センサー１１が検知するドレン水の水位を上述の水位よりも低位とすると、ポンプ制御工程で供給されるドレン水が不足し、噴霧装置１６ａからのドレン水の噴射により冷却効果が不十分となるおそれがある。
【００９８】
なお、動作条件確認工程及びドレン水水位センサー確認工程の順序は、上述の順序には限定されず、逆の順序、つまりドレン水水位センサー確認工程後に動作条件確認工程を行ってもよい。
【００９９】
（ポンプ制御工程）
ポンプ制御工程では、ドレン水供給ポンプ１６ｃを作動させ、ドレン水を噴霧装置１６ａへ供給し、噴霧装置１６ａを動作させる。ドレン水供給ポンプ１６ｃは、予め決められた規定量のドレン水が噴霧装置１６ａに供給されるように、供給速度及び供給時間が制御される。噴霧装置１６ａは、噴射口からドレン水を噴射し、キャビン４内を冷却する。
【０１００】
なお、制御装置１２の制御終了後は、例えば一定時間間隔で上述の制御を繰り返し行う。あるいは、制御装置１２は、例えば室温温度センサー１６ｂにより、キャビン４内の室温が一定温度以上であることが検知されたことや、手動の切換制御でオン状態されたことを起点に制御を開始してもよい。
【０１０１】
〔利点〕
当該建設機械は、キャビン４内へドレン水タンク９のドレン水をミスト状に噴射することで、特に夏場においてキャビン４内の温度を保つと共に、キャビン用空調機５からのドレン水が、建設機械から外部へ直接排出されることを抑止できる。
【０１０２】
また、当該建設機械は、冷室温温度センサー１６ｂの検知結果をもとにドレン水の噴射を制御することで、キャビン４内を適切なタイミングで冷却することができる。
【０１０３】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【０１０４】
上記実施形態では、ドレン水をラジエータの冷却水の水として用いる場合（第一実施形態）、ドレン水を熱交換器の冷却に用いる場合（第二実施形態）、ドレン水をキャビン内の冷却に用いる場合（第三実施形態）を個別に説明したが、これらの構成は排他的なものではなく、２種類以上を同時に用いることもできる。
【０１０５】
上記実施形態では、ドレン水水位センサーの検知結果を、ドレン水再利用装置に必要な供給量が確保できるか否かの判断に用いる場合を示したが、検知結果の利用方法はこれに限定されない。例えばドレン水水位センサーの検知結果をドレン水タンクが満水であるか否かの判断に用い、ドレン水タンクが満水となる前にドレン水再利用装置で利用するように構成してもよい。また、複数のドレン水水位センサーを用い、制御装置が複数の検知結果（例えば上述の供給量の確保と、ドレン水タンクの満水との検知結果）を用いる構成も本発明の意図するところである。
【０１０６】
上記第一実施形態では、冷却水水位センサーとクーラント液水位センサーとを用いる場合を説明したが、これらの水位センサーは、いずれか一方又は両方を省略することもできる。例えば水位センサーを両方省略する場合、制御装置は、ドレン水水位センサーの検知結果のみを用いてドレン水再利用装置への供給量を制御することができる。
【０１０７】
上記第二実施形態では、熱交換器としてラジエータ、オイルクーラ及びインタークーラをドレン水により冷却する場合を説明したが、ドレン水により冷却される熱交換器は、これに限定されない。つまり、ラジエータ、オイルクーラ及びインタークーラのうちの１種又は２種を冷却する構成であってもよいし、他の種類の熱交換器を冷却する構成であってもよい。従って、熱交換器は、ラジエータ、オイルクーラ及びインタークーラの全てを含むものには限定されない。
【０１０８】
上記第二実施形態では、冷却水温度センサー、作動油温度センサー及び吸気温度センサーを用いる場合を説明したが、これらの温度センサーはその一部又は全部を省略することもできる。例えばドレン水による冷却対象ではない熱交換器に係る温度センサーは省略できる。また、ドレン水による冷却対象であっても対応する温度センサーを省略し、例えばドレン水水位センサーの検知結果のみを用いてドレン水再利用装置への供給量を制御することもできる。
【０１０９】
同様に上記第三実施形態において室温温度センサーを省略することもできる。
【産業上の利用可能性】
【０１１０】
本発明の建設機械は、省設置スペースでキャビン用空調機からのドレン水の外部への排出を抑止できる機構を有する。従って、当該建設機械では、ドレン水の痕跡に起因する建設機械の不具合の見逃しや作業効率の低下が発生し難い。
【符号の説明】
【０１１１】
１  下部走行体
２  上部旋回体
３  クレーンアタッチメント
４  キャビン
５  キャビン用空調機
５ａ  排出管
６  エンジン
７  ラジエータ
８  冷却水タンク
９  ドレン水タンク
１０  ドレン水再利用装置
１０ａ  クーラント液タンク
１０ｂ  ドレン水供給ポンプ
１０ｃ  クーラント液供給ポンプ
１０ｄ  クーラント液水位センサー
１０ｅ  冷却水水位センサー
１１  ドレン水水位センサー
１２  制御装置
１３  熱交換器
１３ａ  ラジエータ
１３ｂ  オイルクーラ
１３ｃ  インタークーラ
１４  送風ファン
１５  ドレン水再利用装置
１５ａ  噴射装置
１５ｂ  冷却水温度センサー
１５ｃ  作動油温度センサー
１５ｄ  吸気温度センサー
１５ｅ  ドレン水供給ポンプ
１６  ドレン水再利用装置
１６ａ  噴霧装置
１６ｂ  室温温度センサー
１６ｃ  ドレン水供給ポンプ
【図１】
2020007051.tif 000003
【図２】
2020007051.tif 000004
【図３】
2020007051.tif 000005
【図４】
2020007051.tif 000006
【図５】
2020007051.tif 000007
【図６】
2020007051.tif 000008
【図７】
2020007051.tif 000009